(57)【要約】【課題】支持部を強膜に縫着することなく光学部を安定して角膜上に保持できる眼科手術用コンタクトレンズを提供すること。【解決手段】眼球内部を観察するための光学部１１と、この光学部を角膜上に保持して支持する支持部１２とを有し、光学部の裏面が角膜の形状に対応した曲面に形成され、支持部の裏面が角膜周囲の強膜の形状に対応した曲面に形成され、上記支持部１２が、光学部１１の直径方向外側へ延びる第１枝部１４と、この第１枝部に連設して延びる１本または複数本の第２枝部１５とを有し、この第２枝部が第１枝部の先端１４Ａから、当該第１枝部の長手方向に交わる方向に延びて構成されたものである。【選択図】図１
2007151739.tif 000002
【特許請求の範囲】
【請求項１】
眼球内部を観察するための光学部と、この光学部を角膜上に保持して支持する支持部とを有し、
上記光学部の裏面が角膜の形状に対応した曲面に形成され、上記支持部の裏面が角膜周囲の強膜の形状に対応した曲面に形成され、
上記支持部が、上記光学部の直径方向外側へ延びる第１枝部と、この第１枝部に連設して延びる１本または複数本の第２枝部と、を有して構成されたことを特徴とする眼科手術用コンタクトレンズ。
【請求項２】
上記支持部は、第２枝部が第１枝部の先端から、当該第１枝部の長手方向に交わる方向に延びて構成されたことを特徴とする請求項１に記載の眼科手術用コンタクトレンズ。
【請求項３】
上記支持部は、第２枝部が第１枝部の先端から、当該第１枝部の長手方向に交わる方向及び上記長手方向と同一の方向に複数本延びて構成されたことを特徴とする請求項１に記載の眼科手術用コンタクトレンズ。
【請求項４】
上記支持部には、第１枝部と第２枝部とにより、光学部の周方向に延びる隙間部が形成されたことを特徴とする請求項１乃至３のいずれかに記載の眼科手術用コンタクトレンズ。
【請求項５】
上記支持部の隙間部は、当該隙間部に対応して強膜に形成された創口に挿入される手術器具や、強膜に打ち込まれるトロカールに略接する寸法に設定されたことを特徴とする請求項４に記載の眼科手術用コンタクトレンズ。
【請求項６】
上記支持部は、第１枝部から離れた第２枝部の先端が自由端であることを特徴とする請求項１乃至５のいずれかに記載の眼科手術用コンタクトレンズ。
【請求項７】
上記支持部は、光学部を着脱自在に嵌合する支持リングを備え、この支持リングに第１枝部の基端が接合して構成されたことを特徴とする請求項１乃至６のいずれかに記載の眼科手術用コンタクトレンズ。
【請求項８】
上記支持部が光学部と一体に構成され、上記支持部の第１枝部の基端が上記光学部に接合して構成されたことを特徴とする請求項１乃至６のいずれかに記載の眼科手術用コンタクトレンズ。
【請求項９】
上記支持部が、金属、シリコーンなどのゴム類、または軟質アクリルや硬質アクリルなどの合成樹脂類のいずれか一つの材質にて構成されたことを特徴とする請求項１乃至８のいずれかに記載の眼科手術用コンタクトレンズ。
【請求項１０】
上記光学部の表面が、平面、凸面、凹面、プリズムを有する平面、プリズムを有する凸面、またはプリズムを有する凹面のいずれか一つの形状にて構成されたことを特徴とする請求項１乃至９のいずれかに記載の眼科手術用コンタクトレンズ。
【発明の詳細な説明】
【技術分野】
【０００１】
本発明は、網膜硝子体手術等の眼科手術に使用される眼科手術用コンタクトレンズに関する。
【背景技術】
【０００２】
網膜硝子体手術では、図８に示すように、仰向けに寝かされた患者の眼球上に所望の眼科手術用コンタクトレンズ１００を保持し、手術用顕微鏡を介して眼球の眼底像を観察しながら処置を行っている。上記眼科手術用コンタクトレンズ１００を眼球上に保持する手順は、次のようにしてなされる。
【０００３】
まず、眼球の角膜（不図示）周囲の強膜１０１を露出させる。次に、金属製の固定用リング１０２を、上記角膜を中心として、強膜１０１に手術糸１０３を用いて縫着する。次に、強膜１０１における固定用リング１０２の周囲に、眼内照明用のライトガイド１０４、硝子体を切除するための硝子体カッター１０５、眼内灌流液を注入するためのインフュージョンチューブ１０６等の手術器具を眼球内へ挿入するための創口１０７を設ける。その後、上記固定用リング１０２に眼科手術用コンタクトレンズ１００を装着して保持する。
【０００４】
ところが、上述のような固定用リング１０２の強膜１０１への縫着は、強膜１０１の半層を掬うように縫う作業であるため熟練を要し、たとえ熟練した手術者にとっても、細心の注意と手間が必要とされる作業である。
【０００５】
このような困難な作業を解消するものとして、固定用リング１０２を使用しない眼科手術用コンタクトレンズが近年開発されている。例えば、図９〜図１１に示す眼科手術用コンタクトレンズ１１０では、レンズ部１１１の周辺部に固定用のフランジ１１２を設け、このフランジ１１２によってレンズ部１１１を眼球１１３の角膜１１４上に保持している（特許文献１、２、３）。
【０００６】
尚、図１０及び図１１中の符号１１５は、フランジ１１２に形成された開口部１１５であり、眼球１１３の強膜１１６において、上記開口部１１５に対応する位置に手術器具を挿入するための創口が形成可能とされている。
【０００７】
【特許文献１】特許第３６２３７３９号公報
【特許文献２】特開２００３‐２４３６６号公報
【特許文献３】欧州特許第１１６１７０５号明細書
【発明の開示】
【発明が解決しようとする課題】
【０００８】
ところが、図９〜図１１に示す従来の眼科手術用コンタクトレンズ１１０にあっては、眼球１１３の角膜１１４上への保持が不十分であり、眼球１１３を傾けたとき等に当該コンタクトレンズ１１０がずれてしまい、手術を中断しなければならない場合がある。
【０００９】
また、フランジ１１２の開口部１１５に対応して強膜１１６に形成された創口に手術器具が挿入されている場合で、特にレンズ部１１１とフランジ１１２とが一体型の場合には、当該眼科手術用コンタクトレンズ１１０を回転させようとしても、上記手術器具とフランジ１１２とが干渉して、当該コンタクトレンズ１１０の回転が制限されることがある。この場合には、眼科手術用コンタクトレンズ１１０を回転して、眼球１１３の内部を十分に観察することができない。
【００１０】
本発明の目的は、上述の事情を考慮してなされたものであり、支持部を強膜に縫着することなく光学部を安定して角膜上に保持できる眼科手術用コンタクトレンズを提供することにある。
【課題を解決するための手段】
【００１１】
請求項１に記載の発明は、眼球内部を観察するための光学部と、この光学部を角膜上に保持して支持する支持部とを有し、上記光学部の裏面が角膜の形状に対応した曲面に形成され、上記支持部の裏面が角膜周囲の強膜の形状に対応した曲面に形成され、上記支持部が、上記光学部の直径方向外側へ延びる第１枝部と、この第１枝部に連設して延びる１本または複数本の第２枝部と、を有して構成されたことを特徴とするものである。
【００１２】
請求項２に記載の発明は、請求項１に記載の発明において、上記支持部は、第２枝部が第１枝部の先端から、当該第１枝部の長手方向に交わる方向に延びて構成されたことを特徴とするものである。
【００１３】
請求項３に記載の発明は、請求項１に記載の発明において、上記支持部は、第２枝部が第１枝部の先端から、当該第１枝部の長手方向に交わる方向及び上記長手方向と同一の方向に複数本延びて構成されたことを特徴とするものである。
【００１４】
請求項４に記載の発明は、請求項１乃至３のいずれかに記載の発明において、上記支持部には、第１枝部と第２枝部とにより、光学部の周方向に延びる隙間部が形成されたことを特徴とするものである。
【００１５】
請求項５に記載の発明は、請求項４に記載の発明において、上記支持部の隙間部は、当該隙間部に対応して強膜に形成された創口に挿入される手術器具や、強膜に打ち込まれるトロカールに略接する寸法に設定されたことを特徴とするものである。
【００１６】
請求項６に記載の発明は、請求項１乃至５のいずれかに記載の発明において、上記支持部は、第１枝部から離れた第２枝部の先端が自由端であることを特徴とするものである。
【００１７】
請求項７に記載の発明は、請求項１乃至６のいずれかに記載の発明において、上記支持部は、光学部を着脱自在に嵌合する支持リングを備え、この支持リングに第１枝部の基端が接合して構成されたことを特徴とするものである。
【００１８】
請求項８に記載の発明は、請求項１乃至６のいずれかに記載の発明において、上記支持部が光学部と一体に構成され、上記支持部の第１枝部の基端が上記光学部に接合して構成されたことを特徴とするものである。
【００１９】
請求項９に記載の発明は、請求項１乃至８のいずれかに記載の発明において、上記支持部が、金属、シリコーンなどのゴム類、または軟質アクリルや硬質アクリル樹脂などの合成樹脂類のいずれか一つの材質にて構成されたことを特徴とするものである。
【００２０】
請求項１０に記載の発明は、請求項１乃至９のいずれかに記載の発明において、上記光学部の表面が、平面、凸面、凹面、プリズムを有する平面、プリズムを有する凸面、またはプリズムを有する凹面のいずれか一つの形状にて構成されたことを特徴とするものである。
【発明の効果】
【００２１】
請求項1、２、９または１０に記載の発明によれば、光学部の裏面が角膜の形状に対応した曲面に形成され、支持部の裏面が角膜周囲の強膜の形状に対応した曲面に形成され、この支持部が、光学部の直径方向外側へ延びる第１枝部と、この第１枝部に連設して延びる１本または複数本の第２枝部とを有することから、支持部は強膜に広い範囲で接触することができる。この結果、この支持部によって、光学部を角膜上に安定して保持し支持することができる。
【００２２】
請求項３に記載の発明によれば、支持部は、第２枝部が第１枝部の先端から、当該第１枝部の長手方向に交わる方向及び上記長手方向と同一の方向に複数本延びて構成されたことから、強膜に接触する範囲がより一層拡大するので、光学部を角膜上により一層安定して保持し支持することができる。
【００２３】
請求項４に記載の発明によれば、支持部には、第１枝部と第２枝部とにより、光学部の周方向に延びる隙間部が形成されたことから、強膜において上記隙間部に対応する位置に、眼科手術に用いられる手術器具を挿入するための創口を設けたり、手術器具を接続するためのトロカールを打ち込むことができる。
【００２４】
また、支持部の上記隙間部が光学部の周方向に延びて形成されたことから、光学部と支持部とが一体構成の場合、あるいは、光学部と支持部とが別体ではあるが、光学部が支持部に対して摩擦力などの作用で動きにくい構成となっている場合で、且つ当該隙間部に対応して強膜に形成された創口に手術器具が挿入されたり、トロカールが打ち込まれている状態でも、光学部及び支持部を回転させることができる。このため、特に、表面がプリズム面である光学部の場合に操作性が向上し、この光学部を通して眼球内部を良好に観察することができる。
【００２５】
請求項５に記載の発明によれば、支持部の隙間部は、当該隙間部に対応して強膜に形成された創口に挿入される手術器具、あるいは強膜に打ち込まれたトロカールに略接する寸法に設定されたことから、手術器具やトロカールが支持部を押圧して支持部を固定する固定治具としても機能する。従って、支持部は、固定治具としての手術器具やトロカールによって、光学部をより安定して支持することができる。
【００２６】
請求項６に記載の発明によれば、支持部は、第１枝部から離れた第２枝部の先端が自由端であることから、強膜に接触する際の寸法許容度が増大し、その結果、寸法の異なる眼球に対しても光学部を安定して支持することができる。
【００２７】
また、支持部における第２枝部の先端が自由端(特に開放した自由端)であることから、手術時における血液、粘弾性物質及び還流液などを速やかに排出することができる。このため、手術をスムーズに進行させることができ、患者及び手術者の負担を軽減できる。
【００２８】
更に、支持部における第２枝部の先端が自由端であることから、これらの第１枝部と第２枝部により形成される隙間部に手術器具が配置されている場合にも、当該手術用コンタクトレンズの取り付け及び取り外しを容易に実施できる。
【００２９】
請求項７に記載の発明によれば、支持部が、光学部を着脱自在に嵌合する支持リングを備え、この支持部と光学部とが分離して構成されたので、光学部のみを支持部に対して回転させ、または交換することができる。
【００３０】
請求項８に記載の発明によれば、支持部が光学部と一体に構成されたことから、光学部と支持部のそれぞれの紛失等を防止できるので、当該手術用コンタクトレンズの取扱いを容易化できる。
【発明を実施するための最良の形態】
【００３１】
以下、本発明を実施するための最良の形態を、図面に基づき説明する。
［Ａ］第１の実施の形態（図１及び図２）
図１は、本発明に係る眼科手術用コンタクトレンズの第１の実施の形態を示す正面図である。図２は、図１の眼科手術用コンタクトレンズが眼球に装着された状態を示す側断面図である。これらの図１及び図２に示す眼科手術用コンタクトレンズ１０は、網膜硝子体手術等の眼科手術に使用されるものであり、光学部１１及び支持部１２を有して構成される。
【００３２】
光学部１１は、眼球１の内部を観察するためのものであり、ガラス、シリコーンなどのゴム類、硬質アクリルや軟質アクリルなどの合成樹脂類のいずれか一つの材質にて構成される。この光学部１１の表面１１Ａは、図１２に示すように、平面１１ＡＡ、凸面１１ＡＢ、凹面１１ＡＣ、プリズムを有する平面１１ＡＤ、プリズムを有する凸面１１ＡＥ、またはプリズムを有する凹面１１ＡＦのいずれか一つの形状にて構成される。また、光学部１１の裏面１１Ｂは、眼球１の角膜２の形状に対応（適合）した曲面に形成されている。
【００３３】
従って、眼科手術に際しては、光学部１１の裏面１１Ｂを患者の眼球１の角膜２に接触させ、光学部１１の表面１１Ａが手術用顕微鏡側になるようにする。実際には、光学部１１の裏面１１Ｂと患者の角膜２との間に粘弾性物質が充填されて、両者の誤差が解消される。
【００３４】
前記支持部１２は、光学部１１を眼球１の角膜２上に保持して支持するものであり、支持リング１３、第１枝部１４及び第２枝部１５を有して構成される。この支持部１２は、特に第１枝部１４及び第２枝部１５の裏面１６が、眼球１の角膜２周囲の強膜３の形状に対応（適合）した曲面に形成されている。また、この支持部１２は、金属、シリコーンなどのゴム類、または軟質アクリルや硬質アクリルなどの合成樹脂類のいずれか一つの材質にて構成される。
【００３５】
上記支持リング１３は、光学部１１を着脱自在に嵌合するものであり、支持部１２が光学部１１と別体、つまり分離して構成されている場合に設けられるものである。この支持リング１３の対向位置に一対の第１枝部１４が配設される。つまり、各第１枝部１４は、基端１４Ｂが支持リング１３に接合され、光学部１１の直径方向外側へ直線状または曲線状（本実施の形態では直線状）に延在して構成される。そして、各第１枝部１４の先端１４Ａに連設し、この先端１４Ａの両側から、第１枝部１４の長手方向に交わる方向で、且つ光学部１１の周方向に沿う方向にそれぞれ第２枝部１５が延在する。これら４本の第２枝部１５は、全体として正円形状に構成される。この第２枝部１５の存在により、支持部１２が眼球１の強膜３に接触する面積が広範囲となる。
【００３６】
尚、上述の４本の第２枝部１５の全体形状は、楕円形状、卵形形状、菱形形状、または多角形状であってもよい。また、第１枝部１４は、１本〜１０本の範囲で支持リング１３から延在して構成されてもよい。また、第２枝部１５は、第１枝部１４の先端１４Ａから１本または３本以上延在してもよい。更に、支持部１２は、光学部１１と一体に構成されてもよい。この場合には、上記支持リング１３が存在せず、第１枝部１４の基端１４Ｂは光学部１１に直接接合されることになる。
【００３７】
さて、前記一対の第１枝部１４における先端１４Ａの両側から延びるそれぞれの第２枝部１５の先端１５Ａは、以下のようになっている。すなわち、第２枝部１５の先端１５Ａは、互いに、接触せずもしくは重ね合わされもせず、または、接触もしくは重ね合わされても接合はされず、または、より好ましくは互いに離間するように構成された自由端である。これにより、第１枝部１４及び第２枝部１５を有して構成される支持部１２は、眼球１の強膜３に接触する際の寸法許容性が増大して、この強膜３に接触する際のフレキシビリティ（柔軟性）が高まる。
【００３８】
支持部１２には、第１枝部１４、第２枝部１５及び支持リング１３に囲まれて、光学部１１の周方向に沿って延びる隙間部１７が形成されている。この隙間部１７は、隣接する第２枝部１５において、支持リング１３及び光学部１１の周方向に沿い略半円周の領域に亘って連続して形成されている。眼球１の強膜３には、上記隙間部１７に対応する位置に手術器具を挿入する創口１８が形成可能とされる。上記手術器具は、眼内照明用のライトガイド、硝子体を切除するための硝子体カッター、眼球１内へ眼内灌流液を注入するためのインフュージョンチューブなどである。
【００３９】
また、上記隙間部１７は、上記創口１８に挿入される手術器具に略接する寸法(幅)、つまり手術器具に接するか、または若干小さな寸法(幅)に設定されてもよい。この場合、手術器具は、隙間部１７の周囲の支持部１２に接してこの支持部１２を押圧することにより、当該支持部１２を強膜３に固定するための固定器具としても機能する。また、上記隙間部１７を通した強膜３上に、手術器具の代わりに、手術器具を接続するためのトロカールを打ち込み、このトロカールが支持部１２を押圧して固定器具として機能するものでもよい。
【００４０】
以上のように構成されたことから、上記実施の形態によれば、次の効果（１）〜（９）を奏する。
（１）眼科手術用コンタクトレンズ１０における光学部１１の裏面１１Ｂが眼球１の角膜２の形状に対応(適合)した曲面に形成され、支持部１２の裏面１６が眼球１の角膜周囲の強膜３の形状に対応(適合)した曲面に形成され、この支持部１２が、光学部１１の直径方向外側へ延びる第１枝部１４と、この第１枝部１４の先端１４Ａの両側からそれぞれ延びる第２枝部１５とを有している。この結果、支持部１２は、強膜３に広い範囲で接触することができ、光学部１１を角膜２上に安定して保持し支持することができる。
【００４１】
（２）眼科手術用コンタクトレンズ１０における支持部１２には、支持リング１３、第１枝部１４及び第２枝部１５に囲まれて、光学部１１の周方向に延びる隙間部１７が形成されたことから、眼球１の強膜３において上記隙間部１７に対応する位置に、眼科手術に用いられる手術器具を挿入するための創口１８を設けたり、手術器具を接続するためのトロカールを打ち込むことができる。
【００４２】
（３）眼科手術用コンタクトレンズ１０における支持部１２の隙間１７が光学部１１の周方向に延びて形成されたことから、光学部１１と支持部１２とが一体構成の場合、あるいは、光学部１１と支持部１２とが別体ではあるが、光学部１１が支持部１２に対して摩擦力などの作用で動きにくい構成となっている場合で、且つ当該隙間部１７に対応して強膜３に形成された創口１８に手術器具が挿入されたり、トロカールが打ち込まれている状態でも、光学部１１及び支持部１２を必要に応じて回転させることができる。このため、特に、表面１１Ａがプリズム面である光学部１１の場合に当該コンタクトレンズ１０の操作性が向上し、このコンタクトレンズ１０の光学部１１を通して眼球内部を良好に観察することができる。
【００４３】
（４）眼科手術用コンタクトレンズ１０における支持部１２の隙間部１７は、当該隙間部１７に対応して強膜３に形成された創口１８に挿入される手術器具、あるいは強膜３に打ち込まれるトロカールに接するか、または若干小さな寸法に設定されてもよい。この場合、手術器具やトロカールは隙間部１７に接して、この隙間部１７周囲の支持部１２を押圧し、この支持部１２を固定する固定治具としても機能する。従って、支持部１２は、固定治具としての手術器具によって、光学部１１をより安定して支持することができる。特に、トロカールを打ち込んだ場合には、光学部１１の安定性はさらに増すと同時に、強膜３に創口１８を設ける必要がないため術後の治癒も早い。
【００４４】
（５）眼科手術用コンタクトレンズ１０における支持部１２は、第１枝部１４の先端１４Ａから離れた第２枝部１５の先端１５Ａが自由端に構成されたことから、眼球１の強膜３に接触する際の寸法許容度が増大し、フレキシビリティーが向上する。その結果、支持部１２は、寸法の異なる眼球１に対しても光学部１１を安定して保持し支持することができる。
【００４５】
（６）支持部１２における第２枝部１５の先端１５Ａを自由端、特に互いに離間した自由端としたことから、手術時における血液、粘弾性物質及び灌流液等を速やかに排出することが可能となる。このため、手術をスムーズに進行させることができ、患者及び手術者の負担を軽減できる。
【００４６】
（７）支持部１２における第２枝部１５の先端１５Ａが自由端であることから、第１枝部１４、第２枝部１５及び支持リング１３に囲まれて形成される隙間部１７に手術器具やトロカールが配置されている場合にも、当該眼科手術用コンタクトレンズ１０の取り付け取り外しを容易に実施できる。
【００４７】
（８）眼科手術用コンタクトレンズ１０における支持部１２が、光学部１１を着脱自在に嵌合する支持リング１３を備え、この支持部１２と光学部１１とが分離して構成されたので、光学部１１のみを支持部１２に対し回転させ、または他の光学部１１と交換することができる。
【００４８】
（９）眼科手術用コンタクトレンズ１０における支持部１２が光学部１１と一体に構成された場合には、光学部１１と支持部１２のそれぞれの紛失を防止できるので、当該コンタクトレンズ１０の取扱いを容易化できる。
【００４９】
［Ｂ］第２〜第６の実施の形態（図３〜図７）
次に、第２〜第６の実施の形態を図面に基づいて説明する。これらの各実施形態において、前記第１の実施の形態と同様な部分は、同一の符号を付すことにより説明を省略する。
【００５０】
図３に示す第２の実施の形態の眼科手術用コンタクトレンズ２０では、支持リング１３の対向位置から一対の第１枝部１４が延在し、これらの各第１枝部１４の先端１４Ａからそれぞれ１本の第２枝部１５が、当該第１枝部１４の長手方向に交わり、且つ光学部１１の周方向に沿う方向に延在して構成されている。従って、このコンタクトレンズ２０においても、前記第１の実施の形態の効果（１）〜（９）と同様な効果を奏する。その他、この眼科手術用コンタクトレンズ２０では、次の効果を奏する。
【００５１】
図４に示す第３の実施の形態の眼科手術用コンタクトレンズ３０では、支持リング１３の一箇所から１本の第１枝部１４が延び、この第１枝部１４の先端１４Ａの両側から、第１枝部１４の長手方向に交わる方向で、且つ光学部１１の周方向に沿う方向にそれぞれ第２枝部１５が延在して構成されたものである。従って、このコンタクトレンズ３０においても、前記第１の実施の形態の効果（１）〜（９）と同様な効果を奏する。
その他、この眼科手術用コンタクトレンズ３０では、次の効果を奏する。つまり、第１枝部１４が１つで隙間部１７が略一円周長に形成されているため、手術器具やトロカールが隙間部１７に対応して強膜３に配置されている場合にも、当該コンタクトレンズ３０を必要に応じて回転させるときの自由度が増大する。
【００５２】
図５(Ａ)に示す第４の実施の形態の眼科手術用コンタクトレンズ４０では、一対の第１枝部１４における各先端１４Ａの両側からそれぞれ延びる合計４本の第２枝部１５は、全体として楕円形状に形成されている。従って、このコンタクトレンズ４０においても、前記第１の実施の形態の効果（１）〜（９）と同様な効果を奏する。その他、この眼科手術用コンタクトレンズ４０では、次の効果を奏する。つまり、このコンタクトレンズ４０の第２枝部１５は、全体として楕円形状に形成されて眼球１の強膜３に接触する範囲が拡大するので、光学部１１をより一層安定して角膜２上に保持することができる。
【００５３】
図５(Ｂ)に示す第４の実施の形態における変形例の眼科手術用コンタクトレンズ４１では、支持部４３における合計４本の第２枝部４２は、それらの外縁４４の形状が全体として楕円形状に形成されると共に、それらの内縁４５の形状が全体として正円形状に形成されている。従って、当該コンタクトレンズ４１では、上記コンタクトレンズ４０よりも、第２枝部４２の強膜３に接触する面積が増大するので、光学部１１をより一層安定して角膜２上に保持することができる。
更に、当該コンタクトレンズ４１では、第２枝部４２の内縁４５が全体として正円形状に形成されて、隙間部１７の幅(支持リング１３と第２枝部４２の内縁４５との距離)が隙間部１７の周方向に一定となっている。このため、この隙間部１７に手術器具やトロカールを配置した状態で、コンタクトレンズ４１を強膜３上で回転させた場合であっても、これらの手術器具等は常に隙間部１７に接し、隙間部１７周囲の支持部４３を押圧するので、固定器具としても充分に機能できる。この結果、支持部４３を介して、光学部１１を安定して角膜２上に支持することができる。
【００５４】
図６に示す第５の実施の形態の眼科手術用コンタクトレンズ５０では、支持リング１３の対向位置から一対の第１枝部１４が延在する。これらの各第１枝部１４の先端１４Ａの両側を起点にして第２支持部１５が設けられる。すなわち、第２支持部１５は、第１枝部１４の長手方向に交わる方向で、且つ光学部１１の周方向に沿う方向に、上記各先端１４Ａの両側を起点にしてこれを延長して設けられる。さらに、上記各先端１４Ａから、第１枝部１４の長手方向と同一方向に他の第２枝部５１が延在して形成される。従って、このコンタクトレンズ５０においても、前記第１の実施の形態の効果（１）〜（９）と同様な効果を奏する。
その他、この眼科手術用コンタクトレンズ５０では、次の効果を奏する。つまり、このコンタクトレンズ５０では、一対の第１枝部１４の各先端１４Ａから、２本の第２枝部１５と１本の第１枝部５１とが延在して構成されたので、支持部１２は、眼球１の強膜３に接する接触面積がより一層拡大され、この結果、光学部１１を角膜２上により一層安定して保持することができる。
【００５５】
図７に示す第６の実施の形態の眼科手術用コンタクトレンズ６０では、支持リング１３の互いに対向する４箇所から幅広形状の第１枝部１４が光学部１１の直径方向に延びる。そして、これら各第１枝部１４の先端１４Ａの両側から、第１枝部１４の長手方向に交わり、且つ光学部１１の周方向に沿う方向に延びる第２枝部１５がそれぞれ延在して構成される。従って、このコンタクトレンズ６０においても、前記第１の実施の形態の効果（１）〜（９）と同様な効果を奏する。その他、この眼科手術用コンタクトレンズ６０では、次の効果を奏する。つまり、支持部１２の第１枝部１４の面積が大きいため、この第１枝部１４により光学部１１を、眼球１の角膜２上により一層安定させることができる。
【００５６】
以上、本発明を上記実施の形態に基づいて説明したが、本発明はこれに限定されるものではない。
【図面の簡単な説明】
【００５７】
【図１】本発明に係る眼科手術用コンタクトレンズの第１の実施の形態を示す正面図である。
【図２】図１の眼科手術用コンタクトレンズが眼球に装着された状態を示す側断面図である。
【図３】本発明に係る眼科手術用コンタクトレンズの第２の実施の形態を示す正面図である。
【図４】本発明に係る眼科手術用コンタクトレンズの第３の実施の形態を示す正面図である。
【図５】本発明に係る眼科手術用コンタクトレンズの第４の実施の形態を示す正面図である。
【図６】本発明に係る眼科手術用コンタクトレンズの第５の実施の形態を示す正面図である。
【図７】本発明に係る眼科手術用コンタクトレンズの第６の実施の形態を示す正面図である。
【図８】従来の第１の眼科手術用コンタクトレンズの使用状態を示す斜視図である。
【図９】従来の第２の眼科手術用コンタクトレンズを示し、（Ａ）が正面図、（Ｂ）が図９  （Ａ）の眼科手術用コンタクトレンズを眼球に装着した状態を示す側断面図である。
【図１０】従来の第３の眼科手術用コンタクトレンズを示す正面図である。
【図１１】従来の第４の眼科手術用コンタクトレンズを示す正面図である。
【図１２】図１に示す眼科手術用コンタクトレンズの光学部を示す側面図である。
【符号の説明】
【００５８】
１  眼球
２  角膜
３  強膜
１０  眼科手術用コンタクトレンズ
１１  光学部
１１Ａ  表面
１１Ｂ  裏面
１２  支持部
１３  支持リング
１４  第１枝部
１４Ａ  先端
１４Ｂ  基端
１５  第２枝部
１６  裏面
１７  隙間部
１８  創口
２０  眼科手術用コンタクトレンズ
３０  眼科手術用コンタクトレンズ
４０  眼科手術用コンタクトレンズ
４１  眼科手術用コンタクトレンズ
５０  眼科手術用コンタクトレンズ
５１  第２枝部
６０  眼科手術用コンタクトレンズ
【図１】
2007151739.tif 000003
【図２】
2007151739.tif 000004
【図３】
2007151739.tif 000005
【図４】
2007151739.tif 000006
【図５】
2007151739.tif 000007
【図６】
2007151739.tif 000008
【図７】
2007151739.tif 000009
【図８】
2007151739.tif 000010
【図９】
2007151739.tif 000011
【図１０】
2007151739.tif 000012
【図１１】
2007151739.tif 000013
【図１２】
2007151739.tif 000014